(57)【要約】【課題】色バランスと色再現性とが良い撮像素子を提供する。【解決手段】撮像素子１は、入射光のうち特定の色成分の抽出に用いられるフィルタ層２と、入射光をフィルタ経由で観測する受光素子３Ｗ・３Ｙ・３Ｒとを具備する。ここで、フィルタ層２は、透明フィルタ２Ｗと黄成分の抽出に用いられる黄フィルタ２Ｙと赤成分の抽出に用いられる赤フィルタ２Ｒとを含む。【選択図】      図１
2007049224.tif 000002
【特許請求の範囲】
【請求項１】
入射光のうち特定の色成分の抽出に用いられるフィルタと、前記入射光を前記フィルタ経由で観測する受光素子とを具備する撮像素子において、
前記フィルタは、
透明フィルタと、
黄成分の抽出に用いられる黄フィルタと、
赤成分の抽出に用いられる赤フィルタと
を含むことを特徴とする撮像素子。
【請求項２】
前記受光素子は、
前記入射光を前記透明フィルタ経由で観測する入射光受光素子と、
前記入射光を前記黄フィルタ経由で観測する黄受光素子と、
前記入射光を前記赤フィルタ経由で観測する赤受光素子と、
前記入射光受光素子で観測された観測結果から、前記黄受光素子で観測された観測結果を引き算し、青の観測結果を求める演算手段と、
前記黄受光素子で観測された観測結果から、前記赤受光素子で観測された観測結果を引き算し、緑の観測結果を求める演算手段と
をさらに具備する請求項１記載の撮像素子。
【請求項３】
前記黄フィルタと前記赤フィルタとを被覆する透明平坦化層をさらに具備し、
前記透明フィルタは前記透明平坦化層により形成されることを特徴とする請求項１または請求項２記載の撮像素子。
【請求項４】
前記撮像素子は、前記受光素子に光を集光するためのマイクロレンズを更に備え、
前記マイクロレンズは、前記透明平坦化層により形成されることを特徴とする請求項３に記載の撮像素子。
【請求項５】
前記透明フィルタと、前記黄フィルタと、前記赤フィルタとを、マス目状に隣接配列して面を形成し、色分離の一単位を形成することを特徴とする請求項１乃至請求項４のいずれか１項記載の撮像素子。
【請求項６】
前記黄フィルタの画素数と、前記透明フィルタ及び前記赤フィルタの合計の画素数とが等しいことを特徴とする請求項１乃至請求項５のいずれか１項記載の撮像素子。
【請求項７】
前記透明フィルタは、４００ｎｍより短波長域で紫外線を吸収することを特徴とする請求項１乃至請求項６のいずれか１項記載の撮像素子。
【請求項８】
前記入射光のうち前記受光素子に入射する光を除く他の光の反射及び透過を抑制するための遮光膜をさらに具備することを特徴とする請求項１乃至請求項７のいずれか１項記載の撮像素子。
【請求項９】
前記受光素子を配置する基板を具備し、
前記遮光膜は、前記基板の前記入射光の入射側であり、前記受光素子に前記入射光を入射させる領域を除く他の領域に設けられることを特徴とする請求項８記載の撮像素子。
【請求項１０】
前記遮光膜に紫外線吸収機能をもたせるか、もしくは、紫外線を吸収する膜を積層したことを特徴とする請求項８または請求項９に記載の撮像素子。
【請求項１１】
前記遮光膜に近赤外線吸収機能をもたせるか、もしくは、近赤外線を吸収する膜を積層したことを特徴とする請求項８乃至請求項１０のいずれか１項記載の撮像素子。
【請求項１２】
第１の波長より短波長側の光について透過抑制特性を持ち、前記第1の波長より長波長側の光について透過特性を持つ第1フィルタと、
前記第1の波長より長波長側の第２の波長より短波長側の光について透過抑制特性を持ち、前記第２の波長より長波長側の光について透過特性を持つ第２フィルタと、
前記第１フィルタ経由で入射光を受光する第1受光素子と、
前記第２フィルタ経由で入射光を受光する第２受光素子と、
前記第１受光素子により検出した強度値と、第２受光素子により検出した強度値とを引き算処理する演算手段と
を具備する撮像素子であって、
前記演算手段は、前記第１フィルタと前記第２フィルタとのそれぞれの波長域の差に対応する色の見かけ上のカラーフィルタを構成する
ことを特徴とする撮像素子。
【請求項１３】
前記第１の波長は、３５０ｎｍ〜７５０ｎｍの波長域に存在することを特徴とする請求項１２に記載の撮像素子。
【請求項１４】
入射光のうち特定の波長域に存する光の強度値を検出する撮像素子と、
前記撮像素子が検出した光の強度値に基づいて入射光を再現する演算手段と
を備えた撮像装置であって、
前記撮像素子は、
半導体基板と、
前記半導体基板上に形成され、入射光を受光するための光電変換素子と、
前記光電変換素子上に形成され、前記入射光を透過する透明フィルタと、
前記光電変換素子上に形成され、前記入射光のうち赤色成分の抽出に用いられる赤フィルタと、
前記光電変換素子上に形成され、前記入射光のうち黄色成分の抽出に用いられる黄フィルタと、
前記カラーフィルタを被覆するように形成された透明樹脂層と、
前記カラーフィルタ上に形成されたマイクロレンズと
を備え、
前記演算手段は、
前記透明フィルタを経由して受光した入射光の強度値から、黄フィルタを経由して受光した入射光の強度値を引き算処理して、入射光の青色成分の値を演算する手段と、
前記黄フィルタを経由して受光した入射光の強度値から、赤フィルタを経由して受光した入射光の強度値を引き算処理して、入射光の緑色成分の値を演算する手段と、
前記赤フィルタを経由して受光した入射光の強度値に基づいて入射光の赤色成分の値を演算する手段と
を備えたことを特徴とする撮像装置。
【発明の詳細な説明】
【技術分野】
【０００１】
本発明は、受光素子を具備する撮像素子に関し、特に、受光素子の光入射側にカラーフィルタを配置し、観測対象の色成分の観測を可能とした撮像素子に関する。
【背景技術】
【０００２】
近年、デジタルカメラやビデオカメラなどでは２次元イメージセンサが用いられている。また、ファクシミリや複写機などではリニアセンサ（一次元イメージセンサ）などが用いられている。
【０００３】
このようなイメージセンサ（撮像素子）は受光素子（光電変換素子）を具備し、この具備した受光素子によりイメージセンサに入射された入射光を検出する。入射光は、光電変換素子により電気信号に変換された後に検出される。
【０００４】
なお、ＣＭＯＳやＣＣＤなどの受光素子は、人間の視覚感度域である可視光波長域（例えば、４００ｎｍ〜７００ｎｍの波長域）外の領域でも高い感度を有するものである。また、可視光波長域より長波長側の波長域（以下、「赤外域」という。例えば、７００ｎｍ〜１１００ｎｍの波長域である。）についても高い感度を有する。
【０００５】
受光素子は、入射光を有機カラーフィルタ経由で受光する。すなわち、各受光素子の光の入射側には、入射光から特定の色成分を抽出して色分離を行うために、光の３原色の有機カラーフィルタが設置される。この有機カラーフィルタにより入射光は色分離され、観測対象とされている色成分が受光素子によって観測される。
【０００６】
なお、受光素子は、入射光の強さに応じて電気信号に変換するものである。換言すると、入射光の明るさのみを検知するものであり、入射光の色の判別は行わない。そこで、受光素子の光入射側に、光の三原色である赤（Ｒ）・緑（Ｇ）・青（Ｂ）の有機カラーフィルタを備えることにより、撮影対象からの光を色分離して特定の光を取り出している。
【０００７】
具体的には、赤・緑・青の各カラーフィルタを通過した光は、各カラーフィルタに対向する受光素子に入射されて、各受光素子により電気信号に変換される。そして、光電変換により得られた出力値（通常、電圧値が出力される。）が合成されて、撮影対象がカラー画像として再現される。
【０００８】
ところで、このようなカラーフィルタの透過率が低いと、受光素子に到達する光量が減り、画質が低下（暗い画像）することとなる。例えば、図１６は赤・緑・青の光の３原色におけるカラーフィルタの分光透過率の一例を示すグラフであるが、緑や青の透過率の頂点部は８０％前後しかない。
【０００９】
また、近年、撮像素子についての多画素化の要求が高まっており、画素の微細化が進んでいる。具体的には、画素ピッチ（画素間の距離）は３μｍを下回り、２μｍ前後になりつつある。このように、画素ピッチが２μｍ近傍の微細画素になると、一画素当たりの面積が小さくなるので、受光素子への入射光量が減少する。このため、カラーフィルタの透過率が低いことは、受光素子の感度の低下を意味し、画質の低下（暗い画像となる）を引き起こす原因となる。
【００１０】
また、図１７に示すように、受光素子のＳＰＤ感度は、７００ｎｍ付近の波長域で高い値を示すが、短波長域にいくにつれて低下する。特に、青の波長域（４００ｎｍ〜５００ｎｍ）付近では、赤の半分程度の感度となる。
【００１１】
さらに、図１６に示すように、青のカラーフィルタの透過率は、赤や緑のカラーフィルタの透過率より低い値を示す。
【００１２】
以上の観点から、赤・緑・青の３原色のカラーフィルタを有する撮像素子では、青の波長領域において受光素子の感度が低く、かつ、赤や緑のカラーフィルタの透過率よりも青のカラーフィルタの透過率の方が低いことが分かる。
【００１３】
このため、従来の撮像素子では、赤や緑よりも青の感度が低くなり、色のバランスを厳密に再現することが困難となる。
【００１４】
この点に関し、受光素子への光量の低下に対応するため、黄（Ｙ）・マゼンタ（Ｍ）・シアン（Ｃ）からなる補色系のカラーフィルタを用いる技術が提案されている（例えば、特許文献１参照）。
【００１５】
この技術では、黄（Ｙ）のカラーフィルタを用いることで、赤と緑との合成光を取り出すことができる。また、マゼンタ（Ｍ）のカラーフィルタを用いることで、赤と青との合成光を取り出すことができる。また、シアン（Ｃ）のカラーフィルタを用いることで、緑と青との合成光を取り出すことができる。
【００１６】
すなわち、補色系のカラーフィルタでは２色ずつの光を透過するため透過率を高くすることができ、入射光の光量の低下を抑えることができる。
【特許文献１】特開２００２−５１３５０号公報
【発明の開示】
【発明が解決しようとする課題】
【００１７】
しかしながら、黄・マゼンタ・シアンの補色系のカラーフィルタを透過した光から赤・緑・青の３原色の光を取り出すには、例えば青＝（シアン＋マゼンタ−黄）／２、緑＝（シアン＋黄−マゼンタ）／２、赤＝（マゼンタ＋黄−シアン）／２などのように、補色系のカラーフィルタを経由し、受光素子で観測された各値から赤・緑・青の３原色に相当する値を算出するための煩雑な計算を行う必要がある。
【００１８】
そのため、原色に近い鮮やかな色を表現することが困難な場合がある。
【００１９】
本発明は、以上のような実情に鑑みてなされたもので、色バランスと色再現性とがよい撮像素子を提供することを目的とする。
【課題を解決するための手段】
【００２０】
上記の目的を達成するために、本発明では、以下のような手段を講じる。
【００２１】
請求項１に対応する発明は、入射光のうち特定の色成分の抽出に用いられるフィルタと、前記入射光を前記フィルタ経由で観測する受光素子とを具備する撮像素子において、前記フィルタは、透明フィルタと、黄成分の抽出に用いられる黄フィルタと、赤成分の抽出に用いられる赤フィルタとを含む撮像素子である。
【００２２】
請求項２に対応する発明は、前記受光素子は、前記入射光を前記透明フィルタ経由で観測する入射光受光素子と、前記入射光を前記黄フィルタ経由で観測する黄受光素子と、前記入射光を前記赤フィルタ経由で観測する赤受光素子と、前記入射光受光素子で観測された観測結果から、前記黄受光素子で観測された観測結果を引き算し、青の観測結果を求める演算手段と、前記黄受光素子で観測された観測結果から、前記赤受光素子で観測された観測結果を引き算し、緑の観測結果を求める演算手段とをさらに具備する撮像素子である。
【００２３】
請求項３に対応する発明は、前記黄フィルタと前記赤フィルタとを被覆する透明平坦化層をさらに具備し、前記透明フィルタは前記透明平坦化層により形成される撮像素子である。
【００２４】
請求項４に対応する発明は、前記撮像素子は、前記受光素子に光を集光するためのマイクロレンズを更に備え、前記マイクロレンズは、前記透明平坦化層により形成される撮像素子である。
【００２５】
請求項５に対応する発明は、前記透明フィルタと、前記黄フィルタと、前記赤フィルタとを、マス目状に隣接配列して面を形成し、色分離の一単位を形成する撮像素子である。
【００２６】
請求項６に対応する発明は、前記黄フィルタの画素数と、前記透明フィルタ及び前記赤フィルタの合計の画素数とが等しい撮像素子である。
【００２７】
請求項７に対応する発明は、前記透明フィルタは、４００ｎｍより短波長域で紫外線を吸収する撮像素子である。
【００２８】
請求項８に対応する発明は、前記入射光のうち前記受光素子に入射する光を除く他の光の反射を抑制するための遮光膜をさらに具備する撮像素子である。
【００２９】
請求項９に対応する発明は、前記受光素子を配置する基板を具備し、前記遮光膜は、前記基板の前記入射光の入射側であり、前記受光素子に前記入射光を入射させる領域を除く他の領域に設けられる撮像素子である。
【００３０】
請求項１０に対応する発明は、前記遮光膜に紫外線吸収機能をもたせるか、もしくは、紫外線を吸収する膜を積層した撮像素子である。
【００３１】
請求項１１に対応する発明は、前記遮光膜に近赤外線吸収機能をもたせるか、もしくは、近赤外線を吸収する膜を積層した撮像素子である。
【００３２】
請求項１２に対応する発明は、第１の波長より短波長側の光について透過抑制特性を持ち、前記第1の波長より長波長側の光について透過特性を持つ第1フィルタと、前記第1の波長より長波長側の第２の波長より短波長側の光について透過抑制特性を持ち、前記第２の波長より長波長側の光について透過特性を持つ第２フィルタと、前記第１フィルタ経由で入射光を受光する第1受光素子と、前記第２フィルタ経由で入射光を受光する第２受光素子と、前記第１受光素子により検出した強度値と、第２受光素子により検出した強度値とを引き算処理する演算手段とを具備する撮像素子であって、前記演算手段は、前記第１フィルタと前記第２フィルタとのそれぞれの波長域の差に対応する色の見かけ上のカラーフィルタを構成する撮像素子である。
【００３３】
請求項１３に対応する発明は、前記第１の波長は、３５０ｎｍ〜７５０ｎｍの波長域に存在する撮像素子である。
【００３４】
請求項１４に対応する発明は、入射光のうち特定の波長域に存する光の強度値を検出する撮像素子と、前記撮像素子が検出した光の強度値に基づいて入射光を再現する演算手段とを備えた撮像装置であって、前記撮像素子は、半導体基板と、前記半導体基板上に形成され、入射光を受光するための光電変換素子と、前記光電変換素子上に形成され、前記入射光を透過する透明フィルタと、前記光電変換素子上に形成され、前記入射光のうち赤色成分の抽出に用いられる赤フィルタと、前記光電変換素子上に形成され、前記入射光のうち黄色成分の抽出に用いられる黄フィルタと、前記カラーフィルタを被覆するように形成された透明樹脂層と、前記カラーフィルタ上に形成されたマイクロレンズとを備え、前記演算手段は、前記透明フィルタを経由して受光した入射光の強度値から、黄フィルタを経由して受光した入射光の強度値を引き算処理して、入射光の青色成分の値を演算する手段と、前記黄フィルタを経由して受光した入射光の強度値から、赤フィルタを経由して受光した入射光の強度値を引き算処理して、入射光の緑色成分の値を演算する手段と、前記赤フィルタを経由して受光した入射光の強度値に基づいて入射光の赤色成分の値を演算する手段とを備えた撮像装置である。
【００３５】
＜作用＞
従って、請求項１に対応する発明は、透明フィルタと、黄成分の抽出に用いられる黄フィルタと、赤成分の抽出に用いられる赤フィルタとを含む撮像素子であるので、煩雑な計算を行わなくても原色に近い鮮やかな色を表現でき、色バランスと色再現性とが良い撮像素子を提供できる。
【００３６】
請求項２に対応する発明は、請求項1に対応する作用に加え、入射光受光素子で観測された観測結果から黄受光素子で観測された観測結果を引き算して青の観測結果を求める演算手段と、黄受光素子で観測された観測結果から赤受光素子で観測された観測結果を引き算して緑の観測結果を求める演算手段とを備えているので、補色系のカラーフィルタに比べて、煩雑な計算を行わなくても原色に近い鮮やかな色を表現でき、色バランスと色再現性とがよい撮像素子を提供できる。
【００３７】
請求項３に対応する発明は、請求項１，２に対応する作用に加え、黄フィルタと赤フィルタとを被覆する透明平坦化層をさらに具備し、透明フィルタは透明平坦化層により形成しているので、透明フィルタのパターン形成工程を設ける必要がなく、製造プロセスを簡略化することができる。
【００３８】
請求項４に対応する発明は、請求項３に対応する作用に加え、受光素子に入射光を集光するためのマイクロレンズを更に備え、マイクロレンズは透明平坦化層により形成しているので、撮像素子を薄くすることができる。
【００３９】
請求項５に対応する発明は、請求項１〜４に対応する作用に加え、透明フィルタ・黄フィルタ・赤フィルタを、マス目状に隣接配列して面を形成し色分離の一単位を形成しているので、一単位毎に緑と青との色成分を演算することができる。
【００４０】
請求項６に対応する発明は、請求項１〜５に対応する作用に加え、黄フィルタの画素数と、透明フィルタ及び赤フィルタの合計の画素数とを等しくしているので、一単位毎に緑と青との色成分を個別に演算することができる。
【００４１】
請求項７に対応する発明は、請求項１〜６に対応する作用に加え、透明フィルタは４００ｎｍより短波長域で紫外線を吸収するので、人間が認識しない紫外線の影響を抑えることができる。
【００４２】
請求項８，９に対応する発明は、請求項１〜７に対応する作用に加え、受光素子に入射する光を除く他の光の反射を抑制するための遮光膜を備えていることにより、迷光の影響を抑えることができる。
【００４３】
請求項１０に対応する発明は、請求項８，９に対応する作用に加え、遮光膜に紫外線吸収機能をもたせるか、もしくは紫外線を吸収する膜を積層しているので、人間が認識しない紫外線の影響を抑えることができる。
【００４４】
請求項１１に対応する発明は、請求項８〜１０に対応する作用に加え、遮光膜に近赤外線吸収機能をもたせるか、もしくは近赤外線を吸収する膜を積層しているので、人間が認識しない赤外線の影響を抑えることができる。
【００４５】
請求項１２に対応する発明は、第１フィルタと第２フィルタとのそれぞれの波長域の差に対応する色の見かけ上のカラーフィルタを構成するので、受光した入射光を再現するだけでなく、よりきめの細かい色の抽出ができる。
【００４６】
請求項１３に対応する発明は、請求項１２に対応する作用に加え、第１の波長は、３５０ｎｍ〜７５０ｎｍの波長域に存在するので、可視光領域において見かけ上のカラーフィルタを構成することができる。
【００４７】
請求項１４に対応する発明は、透明フィルタ・黄フィルタ・赤フィルタとを有する撮像素子と、入射光の青色成分の値を演算する手段・入射光の緑色成分の値を演算する手段・入射光の赤色成分の値を演算する手段を有する演算手段とを備えているので、煩雑な計算を行わなくても原色に近い鮮やかな色を表現でき、色バランスと色再現性とがよい撮像素子を提供できる。
【発明の効果】
【００４８】
本発明によれば、色バランスと色再現性とが良い撮像素子を提供できる。特に、青の感度の低下を抑制し、色バランスを向上させることができる。
【発明を実施するための最良の形態】
【００４９】
以下、図面を参照しながら本発明の実施の形態について説明する。なお、以下の説明において同一の要素については同一の符号を付してその説明を省略する。
【００５０】
＜第１の実施の形態＞
本実施形態では、ＣＭＯＳやＣＣＤなどの受光素子を具備し、特に、受光素子の光入射側にフィルタ層を設け、観測対象の色成分を観測する撮像素子について説明する。
【００５１】
図１は本実施形態に係る撮像素子におけるフィルタの配列状態の一例を示す平面図である。この図１では光入射側からみたフィルタの状態の例が表されている。
【００５２】
図２は本実施形態に係る撮像素子の一例を示す断面図である。この図２では、図１のＩ−Ｉ’断面が表されている。なお、この図２では受光素子がＣＭＯＳの場合を例として図示しているが、受光素子がＣＣＤの場合も同様である。以下、撮像素子の他の断面図においても同様の構成である。
【００５３】
本実施形態に係る撮像素子１は、入射光のうち特定の色成分の抽出に用いられるフィルタ層２と、入射光をフィルタ層２経由で観測する受光素子３Ｗ・３Ｙ・３Ｒと、演算部４とを具備する。
【００５４】
フィルタ層２は、透明フィルタ２Ｗ・黄フィルタ２Ｙ・赤フィルタ２Ｒを含む。黄フィルタ２Ｙを２画素とし、透明フィルタ２Ｗと赤フィルタ２Ｒをそれぞれ１画素とした計４画素により色分離の一単位が形成される。すなわち、黄フィルタ２Ｙの画素数の割合と、透明フィルタ２Ｗ及び赤フィルタ２Ｒの画素数の合計の割合とを等しくしている。これにより、後述する（白）−（黄）及び（黄）−（赤）の演算処理を一単位ごとに実行することができる。
【００５５】
透明フィルタ２Ｗ・黄フィルタ２Ｙ・赤フィルタ２Ｒは、マス目状に隣接配列されることにより面を形成する。これにより、透明フィルタ２Ｗ・黄フィルタ２Ｙ・赤フィルタ２Ｒが適切に配置される。
【００５６】
透明フィルタ２Ｗは、主に４００ｎｍ以降の長波長の光を吸収することなく、透過することが望ましい。例えば、透明フィルタ２Ｗとしては、屈折率ｎが１．５前後の透明ガラスをリファレンスとして、波長が４００ｎｍ以降の光の透過率が９５％以上となるフィルタが望ましい。このような透明フィルタ２Ｗは、フェノール系・ポリスチレン系・アクリル系などの樹脂により形成されるが、ポリスチレン系、望むらくはアクリル系により形成されるのが耐熱性などの観点から好ましい。
【００５７】
黄フィルタ２Ｙは、入射光のうち黄成分（赤成分と緑成分が合成された光）の抽出に用いられるフィルタである。この黄フィルタ２Ｙは補色系のフィルタである。一般的に、補色系のフィルタは、赤・緑・青の３原色系のカラーフィルタよりも光の透過率が高い。
【００５８】
赤フィルタ２Ｒは、入射光のうち赤成分の抽出に用いられる赤のカラーフィルタである。一般的に、赤のカラーフィルタは、３原色系の他のカラーフィルタである青のカラーフィルタや緑のカラーフィルタよりも透過率が高い。
【００５９】
受光素子である入射光受光素子３Ｗ・黄受光素子３Ｙ・赤受光素子３Ｒは、フィルタ層２の光入射側の反対側に配置される。そして、カラーフィルタを経由した光を受け、受けた光を電気信号に変換し観測データ値を求めるものである。なお、受光素子とフィルタとの一対一の組み合わせが、画素に相当する。
【００６０】
入射光受光素子３Ｗは、透明フィルタ２Ｗに対応付けされており、入射光を透明フィルタ２Ｗ経由で観測する。
【００６１】
黄受光素子３Ｙは、黄フィルタ２Ｙに対応付けされており、入射光を黄フィルタ２Ｙ経由で観測する。
【００６２】
赤受光素子３Ｒは、赤フィルタ２Ｒに対応付けされており、入射光を赤フィルタ２Ｒ経由で観測する。
【００６３】
演算部４は、青演算部４Ｂ・緑演算部４Ｇ・赤演算部４Ｒとを具備する。この演算部４は入射光受光素子３Ｗと黄受光素子３Ｙによる観測データ値ＤｗとＤｙに基づいて、青の観測データ値Ｄｂと緑の観測データ値Ｄｇとを求める機能を持つ。
【００６４】
青演算部４Ｂは、入射光受光素子３Ｗで観測された観測データ値Ｄｗから、黄受光素子３Ｙで観測された観測データ値Ｄｙを引き算し、青の観測データ値Ｄｂ（＝Ｄｗ−Ｄｙ）を求める。
【００６５】
緑演算部４Ｇは、黄受光素子３Ｙで観測された観測データ値Ｄｙから、赤受光素子３Ｒで観測された観測データ値Ｄｒを引き算し、緑の観測データ値Ｄｇ（＝Ｄｙ−Ｄｒ）を求める。
【００６６】
すなわち、透明フィルタ２W・黄フィルタ２Y・赤フィルタ２Rに対応する色が、それぞれ白（Ｗ）・黄（Ｙ）・赤（Ｒ）とすれば、以下の式（１）〜式（２）に基づいて、青（Ｂ）・緑（Ｇ）のデータ値を得ることができる。
【００６７】
青（Ｂ）＝白（Ｗ）−黄（Ｙ）      …（１）  
緑（Ｇ）＝黄（Ｙ）−赤（Ｒ）      …（２）  
なお、図２では、黄フィルタ２Yと透明フィルタ２Wとを横断するとともに、黄受光素子３Yと透明受光素子３Wとを横断する断面が表されているが、他のフィルタ及び他の受光素子を横断する断面についても同様の構成となる。
【００６８】
半導体基板５の光入射側には、入射光受光素子３Ｗと黄受光素子３Ｙと赤受光素子３Ｒとが形成されて配設される。
【００６９】
入射光受光素子３Ｗ・黄受光素子３Ｙ・赤受光素子３Ｒの形成された半導体基板５の光入射側の面には平坦化層６が積層される。これにより、透明フィルタ２Ｗ・黄フィルタ２Ｙ・赤フィルタ２Ｒを平坦な設置面に形成できる。なお、撮像素子１を薄くするために、平坦化層６は省略されてもよい。なお、平坦化層６の材料としては、アクリル系やエポキシ系・ポリイミド系・ウレタン系・メラミン系・ポリエステル系・尿素系・スチレン系などの樹脂を一つもしくは複数含んだ樹脂を用いることができる。
【００７０】
平坦化層６の光入射側には、入射光受光素子３Ｗ・黄受光素子３Ｙ・赤受光素子３Ｒにそれぞれ対応する透明フィルタ２Ｗ・黄フィルタ２Ｙ・赤フィルタ２Ｒが配置され、フィルタ層２が形成される。また、フィルタ層２の光入射側には、樹脂層（透明平坦化層）７が積層される。
【００７１】
樹脂層７の光入射側には、入射光受光素子３Ｗ・黄受光素子３Ｙ・赤受光素子３Ｒに対応するマイクロレンズ８が備えられる。
【００７２】
マイクロレンズ８は、各透明フィルタ２Ｗ・黄フィルタ２Ｙ・赤フィルタ２Ｒと対をなすように、各透明フィルタ２Ｗ・黄フィルタ２Ｙ・赤フィルタ２Ｒの上方に配置されている。また、マイクロレンズ８は、アクリル樹脂などにより形成され、入肘光受光素子３Ｗ・黄受光素子３Ｙ・赤受光素子３Ｒへの集光性を高める。
【００７３】
なお、本実施形態においては、各フィルタの膜厚はそれぞれ１．４μｍであり、画素ピッチ（透明フィルタ２Ｗ・黄フィルタ２Ｙ・赤フィルタ２Ｒのピッチ）は２．６μｍである。平坦化層６は、紫外線吸収剤を添加した熱硬化型のアクリル樹脂によって形成され、膜厚は０．３μｍに形成されている。
【００７４】
ここで、平坦化層６に対して紫外線吸収剤が添加されるとしたのは、感光性樹脂層にパターン露光や現像などを行い、所定部位に感光性樹脂を残存させる公知のフォトリソグラフィ法によりカラーフィルタを形成する際に、下地となる半導体基板５からの露光光のハレーションを防止することにより、形状の良いフィルタを形成するためである。
【００７５】
なお、本実施形態では、平坦化層６を形成するとしているが、撮像素子をさらに薄くすることを目的として平坦化層６を省略するとしてもよい。
【００７６】
なお、本実施形態において、透明フィルタ２Ｗは、アルカリ可溶型の感光性アクリル樹脂（屈折率ｎ＝１．５５）を用いて約１μｍの膜厚に形成されている。
【００７７】
黄フィルタ２Ｙと赤フィルタ２Ｒは、透明樹脂に色材（顔料・色素）を添付した着色感光性樹脂溶液を用いて形成される。なお、透明フィルタ２Ｗは、着色物を添加しない透明樹脂で形成されるとしてもよい。
【００７８】
本実施形態において、カラーフィルタである黄フィルタ２Ｙや赤フィルタ２Ｒは、透明フィルタ２Ｗの形成に用いられた透明樹脂（感光性アクリル樹脂）に、所定の有機顔料を添加し、分散させた着色感光性樹脂で形成される。例えば、黄フィルタ２Ｙの形成に用いられる有機顔料としては、C.I. Pigment Yellow150が挙げられる。または、C.I. Pigment Yellow150 とC.I. PigmentYellow139 との混合系顔料でもよい。また、赤フィルタ２Ｒの形成に用いられる有機顔料としては、C.I. Pigment Red177と、C.I. Pigment Red48:1と、C.I. PigmentYellow139との混合などが挙げられる。
【００７９】
図３は透明フィルタ２Ｗ・黄フィルタ２Ｙ・赤フィルタ２Ｒについての分光透過率の一例を示すグラフである。
【００８０】
撮像素子１は、各受光素子による観測データ値Ｄｗ・Ｄｙ・Ｄｒに基づいて演算（引き算）を行い、赤・緑・青の３原色の観測データ値Ｄｂ・Ｄｇ・Ｄｒを得る。すなわち、撮像素子１は、このような演算を行うことにより、見かけ上（仮想的に）、青フィルタと緑フィルタとを具備していると考えることができる。
【００８１】
図４は撮像素子１の演算によって得られる見かけ上の青フィルタと緑フィルタと、赤フィルタとについての分光透過率の一例を示すグラフである。この図４に示す撮像素子１の見かけ上の青フィルタと緑フィルタとの分光透過率と、図１６に示す従来の青のカラーフィルタと緑のカラーフィルタとの分光透過率とを比較すると、撮像素子１の見かけ上の青フィルタと緑フィルタとの分光透過率には以下の特徴がある。
【００８２】
すなわち、撮像素子１の見かけ上の青フィルタと緑フィルタとの透過率は、それぞれの色の波長域において、従来の青のカラーフィルタや緑のカラーフィルタよりも透過率が高いという特徴を持つ。
【００８３】
特に、見かけ上の青フィルタの透過率は、青の波長域において、従来の青のカラーフィルタより透過率が高くなる。
【００８４】
このため、撮像素子１では、青の感度が向上し、色バランスが改善される。
【００８５】
以下、本実施形態に係る撮像素子１と従来の撮像素子とを比較して説明する。
【００８６】
まず、「見かけ上のカラーフィルタ」について説明する。
【００８７】
図５は従来の撮像素子の実際の分光特性の例を示すグラフである。
【００８８】
従来の撮像素子の分光特性は、受光素子の感度（図５（Ａ））と、この受光素子の光入射側に配置されているフィルタの透過率（図５（Ｂ））とを掛け合わせた積の値と等価と考えられ、図５（Ｃ）に示すように表される。
【００８９】
この図５（Ｂ）に示すように、従来の撮像素子における青のカラーフィルタは、他の赤や緑のカラーフィルタよりも透過率が低い。また、図５（Ａ）に示すように、青の波長域における受光素子の感度は他の赤や緑の波長域における感度よりも低い。このため、従来の撮像素子においては感度比を求めると、青／緑は赤／緑より小さくなりすぎる。すなわち、色再現性が低いという問題がある。
【００９０】
これに対し、本実施形態における撮像素子１は、３原色である赤・緑・青のカラーフィルタに代えて、透明フィルタ２Ｗ・黄フィルタ２Ｙ・赤フィルタ２Ｒを備えている。
【００９１】
このため、本実施形態における撮像素子１の分光特性は、受光素子の感度と、この受光素子の光入射側に配置されている透明フィルタ２Ｗ・黄フィルタ２Ｙ・赤フィルタ２Ｒの透過率をそれぞれ掛け合わせた積の値と等価と考えられる。
【００９２】
透明フィルタ２Ｗ・黄フィルタ２Ｙ・赤フィルタ２Ｒの透過率は、青のカラーフィルタや緑のカラーフィルタよりも高い。
【００９３】
したがって、この透明フィルタ２Ｗ・黄フィルタ２Ｙ・赤フィルタ２Ｒ経由で入射光受光素子３Ｗ・黄受光素子３Ｙ・赤受光素子３Ｒにより観測された場合、その観測データ値Ｄｗ・Ｄｙ・Ｄｒに基づいて算出された観測データ値Ｄｂ・Ｄｇは、高い透過率により得られた観測結果といえる。
【００９４】
特に、青の観測データ値Ｄｂについては、高い光強度で観測されたことと同等となり、青／緑の感度比を大きくすることができ、色再現性を向上させることができる。
【００９５】
さらに、本実施形態では、青の観測データ値Ｄｂや緑の観測データ値Ｄｇを、引き算という簡単な演算を一回行うのみで求めることができる。
【００９６】
したがって、従来の補色系のカラーフィルタを用いた撮像素子よりも演算を簡略化することができ、原色に近い鮮やかな色を表現できる。
【００９７】
次に、「暗電流によるノイズ」について説明する。
【００９８】
図５（Ｃ）に示すように、受光素子は、光が入射していない場合であっても、僅かに電流を発生させている。このような光が入射していないにもかかわらず受光素子から流れる電流は、暗電流（dark current）と呼ばれ、ノイズの原因となる。従来の赤・緑・青の３原色のカラーフィルタは、分光特性上、所定の波長域の光を透過させるものであるので、光を遮断する波長域も存在する。
【００９９】
しかしながら、受光素子は、光の遮断される波長域についても暗電流を発生させる。このため、従来の撮像素子の観測結果には、光を透過する波長域における光の観測結果に加えて、暗電流によるノイズも含まれており、このノイズにより色再現性が低下する場合がある。
【０１００】
これに対して、本実施形態に係る撮像素子１は、上述したように、入射光受光素子３Ｗの観測データ値Ｄｗと黄受光素子３Ｙの観測データ値Ｄｙとから、黄受光素子３Ｙの観測データ値Ｄｙと赤受光素子３Ｒの観測データ値Ｄｒとを引き算するため、暗電流の値が相殺される。これにより、観測結果からノイズを除去できるので、色再現性を向上させることができる。
【０１０１】
次に、「分光の浮き」について説明する。
【０１０２】
図５（Ｂ）に示すように、従来の赤・緑・青のカラーフィルタの分光透過率において、赤や青のカラーフィルタの分光曲線の裾部の透過率は数％と低いが、緑のカラーフィルタの分光曲線の裾部の透過率は１０％程度と高くなっている。このように、裾部の透過率が高いことを分光の浮きが大きいという。
【０１０３】
従来の撮像素子においては、緑のカラーフィルタの分光曲線の裾部が赤や青の波長域に存在し、かつ、緑の裾部の分光は大きい。そのため、緑の観測結果に赤や青が混色することになり、緑の再現性が低下するという問題があった。
【０１０４】
これに対して、本実施形態に係る撮像素子１では、上述したように、入射光受光素子３Ｗの観測データ値Ｄｗと黄受光素子３Ｙの観測データ値Ｄｙとから、黄受光素子３Ｙの観測データ値Ｄｙと赤受光素子３Ｒの観測データ値Ｄｒとを引き算する。そのため、分光の浮きを小さくすることができ、色再現性を向上させることができる。
【０１０５】
次に、「紫外線吸収剤及び赤外線吸収剤」について説明する。
【０１０６】
ＣＭＯＳやＣＣＤなどの受光素子は、人間の感じない紫外線域にも若干の感度を有する。
【０１０７】
そのため、本実施形態に係る透明フィルタ２Ｗは、４００ｎｍ以下の光を不透過とし、主に４００ｎｍ以降の波長の光を吸収することなく通すことが望ましい。そこで、本実施形態に係る透明フィルタ２Ｗに紫外線吸収剤や、樹脂の硬化に用いる光開始剤や硬化剤を添付し、透明フィルタ２Ｗに紫外線吸収機能を付加してもよい。
【０１０８】
紫外線吸収剤としては、例えば、ベンゾトリアゾール系化合物やペンゾフェノン系化合物・サルチル酸系化学物・クマリン系化合物を用いることができる。また、紫外線吸収剤に、例えばヒンダードミン系化合物などの光安定化剤やクエンチャーなどを添加して用いてもよい。
【０１０９】
さらに、透明フィルタ２Wの形成に用いる樹脂のポリマーやモノマーあるいは硬化剤に、紫外線吸収機能を有する官能基をペンダントしたり、ポリマーに取り込まれるような基を持たせて重合したりしても良い。例えば、キノン類やアントラセンをポリマーに導入しても良いし、紫外線吸収性の基を持つモノマーを添加しても良い。なお、ペンダントとは、反応型吸収剤などの形で樹脂分子鎖に組み込むことをいう。
【０１１０】
また、赤外線吸収性化合物や赤外線吸収剤を、透明フィルタ２Ｗを構成する樹脂に添加してもよい。具体的には、ペンダント方式により透明フィルタ２Ｗを構成する樹脂に添加することができる。
【０１１１】
さらに、本実施形態によれば、フィルタ層２は、黄フィルタ２Ｙを２画素とし、透明フィルタ２Ｗと赤フィルタ２Ｒをそれぞれ１画素とした計４画素により色分離の一単位が形成されている。このため、青及び緑のデータ値を得る際に、黄色のデータ値を重複して使用する必要がない。すなわち、（白）−（黄）及び（黄）−（赤）の演算処理を一単位内で個別に実行することができ、演算処理の高速化を実現できる。
【０１１２】
以上説明した本実施の形態に係る撮像素子１においては、見かけ上、高透過の緑・青のフィルタを具備した場合と同等の効果を得ることができ、特に従来の撮像素子よりも青の観測精度を向上させることができる。
【０１１３】
＜第２の実施形態＞
本実施形態においては、第１の実施形態に係る撮像素子の変形例について説明する。なお、本実施形態に係る撮像素子９は、第１の実施形態に係る撮像素子１において、透明フィルタ２Ｗと樹脂層７とを一体構成としている。
【０１１４】
図６は本実施形態に係る撮像素子の一例を示す断面図である。この図６は図１のＩ−Ｉ’断面に対応するものである。また、透明フィルタ１０Ｗは、第１の実施形態の透明フィルタ２Ｗ及び樹脂層７に相当する。
【０１１５】
本実施形態に係る撮像素子９は、第１の実施形態に係る透明フィルタ２Ｗの位置に、透明フィルタ１０Ｗの一部を記置している。
【０１１６】
透明フィルタ１０Ｗの他の部分は、黄フィルタ２Ｙや赤フィルタ２Ｒの光入射側の面を覆う。すなわち、透明フィルタ１０Ｗは、第１の実施形態に係る透明フィルタ２Ｗと樹脂層７とを一体とした構成を持ち、透明平坦化層としての役割も果たす。
【０１１７】
撮像素子９は、透明フィルタ１０Ｗと黄フィルタ２Ｙと赤フィルタ２Ｒとを具備する。
【０１１８】
入射光受光素子３Ｗ・黄受光素子３Ｙ・赤受光素子３Ｒは、それぞれ透明フィルタ１０Ｗ・黄フィルタ２Ｙ・赤フィルタ２Ｒを通過した光を受け、電気信号に変換する。
【０１１９】
撮像素子９は、上記第１の実施形態と同様に、各受光素子による観測データ値Ｄｗ・Ｄｙ・Ｄｒに基づいて演算（引き算）を行い、赤・緑・青の３原色の観測データ値ＤｂやＤｇを得る。すなわち、撮像素子９は、各受光素子による観測データ値に基づいて演算（引き算）を行うことにより、見かけ上（仮想的に）、青フィルタ・緑フィルタと、赤フィルタとを具備していると考えることができる。
【０１２０】
撮像素子９の演算によって得られる見かけ上の青フィルタ・緑フィルタと、赤フィルタとについての波長４００ｎｍ〜８００ｎｍの分光透過率の一例は、図４と同様である。
【０１２１】
撮像素子９の見かけ上の青フィルタや緑フィルタの透過率は、それぞれの色の波長域において、従来の青のカラーフィルタや緑のカラーフィルタよりも透過率が高くなるという特徴を持つ。
【０１２２】
以上説明した本実施形態においては、黄フィルタ２Ｙと赤フィルタ２Ｒとを形成した後、各フィルタを被覆するように透明平坦化層である透明フィルタ１０Ｗが形成される。これにより、黄フィルタ２Ｙと赤フィルタ２Ｒとの光入射側の面を透明フィルタ１０Ｗで覆い、透明フィルタ１０Ｗと透明平坦化層とを一体化した構成としている。
【０１２３】
すなわち、透明フィルタ１０Ｗと透明平坦化層との形成工程とを一体化しているので、フィルタの形成において、透明フィルタのパターン形成工程を独自に設ける必要がなく、撮像素子９の製造プロセスを簡略化させることができる。
【０１２４】
詳しくは、第１の実施形態において透明フィルタ２Ｗが形成されていた部分に、透明平坦化層である透明フィルタ１０Ｗの一部が配置されることにより、透明フィルタ１０Ｗが透明平坦化層としての役割を果たす。そのため、例えばフォトリソグラフィなどの手法によって透明フィルタを独自に形成する工程を省略できる。すなわち、２色分（黄・赤）のフィルタ形成分の労力で３色分のフィルタを構成でき、フィルタ形成工程を1色分へらすことができる。
【０１２５】
＜第３の実施形態＞
本実施形態においては、第１及び第２の実施形態に係る撮像素子の変形例について説明する。本実施形態に係る撮像素子１１は、第２の実施形態に係る撮像素子９において、透明フィルタ１０Ｗとマイクロレンズ８とを一体構成としている。
【０１２６】
図７は本実施形態に係る撮像素子の一例を示す断面図である。
【０１２７】
本実施形態に係る撮像素子１１は、第２の実施形態に係る撮像素子９のマイクロレンズ８と透明フィルタ１０Ｗとを一体構造とした透明フィルタ１２Ｗを具備する。すなわち、透明フィルタ１２Ｗは、入射光受光素子３Ｗや黄受光素子３Ｙ・赤受光素子３Ｒへの集光性を高める機能をも持つ。
【０１２８】
以下に、この撮像素子１１の製造工程を図８〜図１２を用いて説明する。
【０１２９】
まず、入射光受光素子３Ｗ・黄受光素子３Ｙ・赤受光素子３Ｒが形成された半導体基板５上に、透明樹脂からなる平坦化層６を形成する（図８）。具体的には、受光素子が二次元的に配設された半導体基板５上に、アクリル樹脂を主成分とする塗布液を、２０００ｒｐｍの回転数でスピンコートする。そして、２００℃の熱処理をして硬膜させることにより、膜厚０．２μｍの平坦化層６を形成する。アクリル樹脂の塗布液には、固形比が約３％のクマリン系紫外線吸収剤を添加したものを使用することができる。
【０１３０】
なお、感光性樹脂からなるカラーフィルタの形成において、感光性樹脂へのパターン露光に紫外線を用いるため、パターン露光時のハレーションを防止するために、平坦化層６に紫外線吸収剤を添加するとしてもよい。また、撮像素子１１を薄くするために、平坦化層６は省略されてもよい。
【０１３１】
次に、黄フィルタ２Ｙ，赤フィルタ２Ｒをフォトリソグラフィの手法により形成する（図９）。
【０１３２】
詳しくは、露光・現像可能な感光性アクリル樹脂に色材を混合する２種のカラーレジスト（黄・赤）を用い、約１μｍ膜厚の黄色フィルタ２Ｙと赤色フィルタ２Ｒとをそれぞれ形成する。なお、黄色フィルタ２Ｙの色材には、有機顔料C.I. PigmentYellow150を用いることができる。この黄色フィルタ２Ｙは、色材（有機顔料）の固形比が約３３％となる。また、赤色フィルタ２Ｒの色材には、C.I. PigmentRed177、C.I. Pigment Red48:1とC.I. PigmentYellow139との混合顔料を使用することができる。この赤色フィルタ２Ｒは、色材（有機顔料）の固形比が約４８％となる。
【０１３３】
次に、半導体基板５上に、黄フィルタ２Ｙ及び赤フィルタ２Ｒを被覆するように透明樹脂層をスピンコートして塗布する。そして、この透明樹脂層を１８０℃で3分のあいだ熱硬化して、透明フィルタ１２Ｗを含む平坦化層１２を形成する（図１０）。平坦化層１２は平坦化層６とほぼ同じ材料が用いられるものであり、厚膜用に固形比を高くした熱硬化タイプのアクリル樹脂の塗布液により形成される。なお、アクリル樹脂にはクマリン系の紫外線吸収剤が２％含有されている。また、平坦化膜１２は、およそ２μｍ膜厚とする。
【０１３４】
そして、平坦化層１２上に、露光・現像可能な感光性フェノール樹脂層１３を形成する。なお、感光性フェノール樹脂層１３は、熱処理で溶融して表面張力でレンズ状に丸くなるといった”熱リフロー性”を有する樹脂である。
【０１３５】
次いで、感光性フェノール樹脂層１３にパターン露光・現像・硬膜処理等を行い、所定のパターンの感光性フェノール樹脂とする。
【０１３６】
次に、２００℃の加熱処理を行い、所定パターンの感光性フェノール樹脂１３を流動化させる。これにより、約０．６μｍの厚さの半球状のレンズ母型１３ａが形成される（図１１）。
【０１３７】
次に、レンズ母型１３ａをマスクとして異方性のドライエッチングをすることにより、レンズ母型１３ａの形状を平坦化層１２に転写して、マイクロレンズを形成する（図１２）。すなわち、エッチングによりレンズ母系１３ａはなくなるが、レンズ母系１３ａが透明フィルタ１２Ｗへのマスクとなり、レンズ母系１３ａの半球状の形状が透明フィルタ１２Ｗに転写される。これにより、マイクロレンズ８及び透明フィルタ１２Ｗは同時に形成されることとなる。なお、ドライエッチング量（エッチング深さ）は、約１μｍである。また、黄フィルタ２Ｙと赤フィルタ２Ｒとは、その表面までのエッチング深さとして実行的に１．２μｍ膜厚となるようにする。
【０１３８】
以上説明したように、透明フィルタ１２Ｗの一部がマイクロレンズとして機能する撮像素子１１を得ることができる。また、透明フィルタ１２Wとマイクロレンズが一体化しているので、撮像素子１１を薄くすることができる。
【０１３９】
なお、本実施形態においては、透明平坦化層としての役割を持つ透明フィルタ１２Ｗをマイクロレンズ形状としているが、マイクロレンズを形成することなく透明平坦化層としての役割を持つ透明フィルタ１２Ｗのままでもよい。この場合、図１０の第３工程において透明フィルタ１２Ｗを形成した後は、感光性フェノール樹脂１３の形成以降の工程を行わずに撮像素子を得ることができる。
【０１４０】
また、上述したように、平坦化層６には、感光性樹脂へのパターン露光の際のハレーション防止のために、紫外線吸収剤を添加することが好ましい。
【０１４１】
また、受光素子が紫外線域に感度を有することに基づく紫外線によるノイズの発生を防止するために、透明フィルタ１２Ｗに、紫外線吸収剤を添加することが好ましい。
【０１４２】
紫外線吸収剤としては、酸化セリウムや酸化チタンなどの金属酸化物からなる微粒子が挙げられる。ただし、上述したように、透明フィルタ１２Ｗにレンズ形状が転写され、透明フィルタ１２Ｗが転写型のマイクロレンズとなる場合において、紫外線吸収剤が無添加の場合には、転写レンズの樹脂中で無機材料が光学的な異物となる。そのため、光が遮断される場合があり、撮像素子１１で得られた画像に黒い部分が生じる。
【０１４３】
したがって、染料系の紫外線吸収剤を使用することが好ましい。例えば、紫外線吸収剤としては、ベンゾトリアゾール系やベンゾフェノン系・トリアジン系・サリシレート系・クマリン系・キサンテン系・メトキシケイ皮酸系有機化合物などを用いるとよい。
【０１４４】
なお、上記各実施形態において、黄色については、赤色の共通色としてもよい。すなわち、透明部を除き、黄色は赤色部に共通に含まれるものとし、透明部を除き、他の色部の下引きの色として用いてもよい。この場合、例えば、黄色の樹脂により黄の形成位置に黄フィルタ２Ｙを形成すると同時に、赤の形成位置にも黄フィルタ２Ｙを形成し、その後、赤の形成位置に赤フィルタ２Ｒを形成する。
【０１４５】
＜第４の実施の形態＞
本実施形態では、入射光のうち受光素子に入射する光を除く他の光の反射や光の拡散、回り込みを抑制する反射抑制フィルタを、基板の入射光の入射側であり受光素子に入射光を入射させる領域を除く他の領域に設けた撮像素子について説明する。
【０１４６】
図１３は本実施形態に係る撮像素子の遮光膜の配置位置の第１例を示す平面図である。この図１３に示す撮像素子１７は、受光素子の光入射側であり、分光フィルタの設置されている有効画素部１８の外周部に、光の反射や透過を抑制する遮光膜１９を具備する。なお、撮像素子１７は外部との電気的接続をとるためのアルミニウム等からなる電極部２０を有し、電極部２０には遮光膜１９は形成しない。
【０１４７】
遮光膜１９は色材として、例えば、有機顔料（C.I. Pigment violet23 及びC.I. Pigment Red177，C.I. Pigment Red48:1，C.I. PigmentYellow139の混合）を分散混合した樹脂液を塗布して硬膜することにより形成する。ただし、色材はこれに限定するものではなく、他の顔料を用いてもよい。また、単層であっても、異なる色の積層であってもよい。  遮光膜１９を、撮像素子１７の有効画素部１８の外周部に配設することは、撮像素子１７の観測結果がノイズの影響を受けることを防ぐことができ、画質を高める点で有効である。
【０１４８】
また、本実施形態においては、遮光膜１９に可視光をカットする機能に加えて、赤外光をカットする機能をもたせることが望ましい。赤外光カット機能は、遮光膜１９を、例えば、固形比４０％のカーボンブラック等の黒色顔料を用いて、０．８μｍの膜厚に形成することで実現できる。
【０１４９】
撮像素子１７は、半導体基板５上であって受光素子の開口部外に、可視光波長域において透過抑制特性を持つ遮光膜１９を配設している。
【０１５０】
補足すると、従来の撮像素子においては、受光素子以外の部分に入射した光が撮像素子内で迷走し、迷光となる場合がある。この迷光は、受光素子に入射するとノイズとなる。また、受光素子の周辺領域に不要な光が入射するとノイズの原因となる。しかし、本実施形態においては、受光素子の有効開口部周辺や、半導体基板５の一部（例えば半導体基板５の外周）に、可視光波長域において透過抑制特性を持つ遮光膜１９を配置している。そのため、この遮光膜１９により、受光素子を除く他の部分に入射した光が吸収される。
【０１５１】
これにより、受光素子に迷光及び不要な光が入射することを防止することができる。すなわち、ノイズを低減させることができ、撮像素子１７によって得られる画質を向上させることができる。
【０１５２】
また、カーボンブラック等の黒色顔料を用いた遮光膜１９の赤外線、紫外線吸収性能が不足する場合は、受光素子の有効開口部ではない部分の半導体基板５上に、遮光膜１９を配置する。さらに、この遮光膜１９上に赤外線及び紫外線を吸収する膜１６を積層しても構わない。これにより、受光素子ではない部分に入射した赤外線及び紫外線が迷走し、迷光となり、ノイズが発生することを防止することができる。なお、この赤外線及び紫外線を吸収する膜１６には、マイクロレンズ８の形成に用いる透明樹脂に赤外線吸収剤及び紫外線吸収剤を添加した樹脂を用いれば、材料費を軽減させることもできる。
【０１５３】
なお、本実施形態においては、第１の実施形態に係る撮像素子１に、遮光膜１９と膜１６とを備えた場合を例として説明しているが、他の実施形態に係る撮像素子に対して、遮光膜１９と膜１６を備えるとしてもよい。また、撮像素子に対して、遮光膜１９のみを備えるとしてもよい。また、遮光膜１９に紫外線吸収剤や赤外線吸収剤を添加することであっても構わない。
【０１５４】
＜第５の実施形態＞
本実施形態における撮像素子１Ｕは、少なくとも２以上のフィルタを備え、第１の波長より短波長側の光について透過抑制特性を持ち、第１の波長より長波長側の光について透過特性を持つ第１フィルタと、第１の波長より長波長側で第２の波長より短波長側の光について透過抑制特性を持ち、第２の波長より長波長側の光について透過特性を持つ第２のフィルタとを備える。なお、本実施形態に係る各フィルタは、短波長域で透過抑制特性を持ち、長波長域で透過特性を持つ。また、分光特性上、略Ｓ字状の透過率曲線を持つことが望ましい。
【０１５５】
第１フィルタ及び第２フィルタ経由で入射された光は、それぞれ第１受光素子及び第２受光素子により受光され、電気信号に変換される。
【０１５６】
具体的には、撮像素子１Ｕは３５０ｎｍ〜７５０ｎｍの波長域で１０％以下の透過率を示す第１波長域を有し、かつ、当該第１波長域より長波長域であって４５０ｎｍ〜１１００ｎｍの波長域で９０％以上の透過率である波長域を有するフィルタＦ１〜フィルタＦ７を備える。補足すると、第１フィルタ及び第２フィルタは相対的な関係を表す名称であり、フィルタＦ１〜フィルタＦ７のそれぞれが第１フィルタ及び第２フィルタになりうる。
【０１５７】
フィルタＦ１〜フィルタＦ７は、それぞれ、白色光（透明）、緑みの青色光、黄緑色光、黄色光、橙色光、赤色光、赤外光（便宜上、黒と表す）を捉えるためのものである。詳しくは、各フィルタＦ１〜Ｆ７の分光特性は、それぞれ図１４のＬ１〜Ｌ７に示される。
【０１５８】
なお、本実施形態ではフィルタＦ１・Ｆ４・Ｆ６は、それぞれ透明フィルタ２Ｗ・黄フィルタ２Ｙ・赤フィルタ２Ｒに該当する。
【０１５９】
次に、各フィルタＦ１〜フィルタＦ７において受光した入射光を再現するためのデータ値を求める方法を説明する。
【０１６０】
まず、光が撮像素子１Ｕに入射されると、フィルタＦ１〜フィルタＦ７のいずれかである第１フィルタ及び第２フィルタを経由して対応する第１受光素子及び第２受光素子により入射光が受光される。そして、受光された光は電気信号に変換される。
【０１６１】
続いて、図１５に概念を示すように、第１フィルタにより受光された光のデータ値Ｄ１と、第２フィルタにより受光された光のデータ値Ｄ２とから第１フィルタ及び第２フィルタが受光する光の波長域の差に対応した波長のデータ値ＤＣを求める。
【０１６２】
換言すれば、第１フィルタと第２フィルタとは、それぞれの波長域の差に対応した色の見かけ上のカラーフィルタを構成する。
【０１６３】
例えば、フィルタＦ１（白）とフィルタＦ４（黄）とに基づいて青色のデータ値を得ることができる。フィルタＦ４（黄）とフィルタＦ６（赤）とに基づいて緑色のデータ値を得ることができる。フィルタＦ６（赤）とフィルタＦ７（黒）とから赤外線の影響を受けない赤色のデータ値を得ることができる。
【０１６４】
これにより、光の３原色のデータ値を得ることができるので、受光した入射光を再現することができる。
【０１６５】
さらに、例えばフィルタＦ２（緑みの青）とフィルタＦ３（黄緑）とを引き算処理することにより、緑みの青色（緑かがった青色）のデータ値を得ることができる。フィルタＦ３（黄緑）とフィルタＦ４（黄）との引き算処理により、黄緑色のデータ値が得られる。フィルタＦ４（黄）とフィルタＦ５（橙）との引き算処理により、黄色のデータ値が得られる。フィルタＦ５（橙）とフィルタＦ６（赤）との引き算処理により、橙色のデータ値が得られる。
【０１６６】
すなわち、上述した方法によれば、フィルタＦ１〜フィルタＦ７のうち第１フィルタと第２フィルタとを構成する２つのフィルタを用いることにより、受光した入射光を再現するだけでなく、よりきめの細かい色の抽出ができる。
【０１６７】
なお、本実施形態においてはフィルタＦ１〜Ｆ７の７種類を例示したが、これに限られるものではないことは言うまでもない。すなわち、３５０ｎｍ〜７５０ｎｍの波長域で１０％以下の透過率を示す第１波長域を有し、かつ、当該第１波長域より長波長域であって４５０ｎｍ〜１１００ｎｍの波長域で９０％以上の透過率である波長域を有するカラーフィルタであれば、本実施形態はこれを除外するものではない。
【０１６８】
また、本実施形態に係る撮像素子１Uは、カラーフィルタのうち最も色材含有比率の高い高比率カラーフィルタをドライエッチングにより形成し、高比率カラーフィルタ以外の低比率のカラーフィルタをフォトリソグラフィ法により形成することにより製造することができる。
【図面の簡単な説明】
【０１６９】
【図１】本発明の第１の実施形態に係る撮像素子におけるフィルタの配列状態の一例を示す正面図。
【図２】第１の実施形態に係る撮像素子の一例を示す断面図。
【図３】透明フィルタ・黄フィルタ・赤フィルタについての分光透過率の一例を示すグラフ。
【図４】第１の実施形態に係る撮像素子の演算によって得られる見かけ上の青フィルタと緑フィルタ・赤フィルタとについての分光透過率の一例を示すグラフ。
【図５】従来の撮像素子の実際の分光特性の例を示すグラフ。
【図６】第２の実施形態に係る撮像素子の一例を示す断面図。
【図７】本発明の第３の実施形態に係る撮像素子の一例を示す断面図。
【図８】第３の実施形態に係る撮像素子の製造プロセスの第１工程の例を示す断面図。
【図９】第３の実施形態に係る撮像素子の製造プロセスの第２工程の例を示す断面図。
【図１０】第３の実施形態に係る撮像素子の製造プロセスの第３工程の例を示す断面図。
【図１１】第３の実施形態に係る撮像素子の製造プロセスの第４工程の例を示す断面図。
【図１２】第３の実施形態に係る撮像素子の製造プロセスの第５工程の例を示す断面図。
【図１３】本発明の第４の実施形態に係る撮像素子の遮光膜の配置位置の第１例を示す正面図。
【図１４】本発明の第５の実施形態に係るフィルタＦ１〜フィルタＦ７の分光特性の一例を示す図である。
【図１５】第５の実施形態に係る見かけ上のカラーフィルタの概念を説明するための図である。
【図１６】人間の視覚感度、受光素子の感度、受光素子の感度に対して好ましい近赤外域カットフィルタの透過率の関係の例を示すグラフ。
【図１７】赤・緑・青の３原色のカラーフィルタの分光透過率の一例を示すグラフ。
【符号の説明】
【０１７０】
１，１Ｕ，９，１１，１７…撮像素子、２…フィルタ層、２Ｗ，１０Ｗ，１２Ｗ…透明フィルタ、２Ｙ…黄フィルタ、２Ｒ…赤フィルタ、２Ｖ…バイオレットのフィルタ、３Ｗ…入射光受光素子３Ｗ、３Ｙ…黄受光素子、３Ｒ…赤受光素子、４…演算部、４Ｂ…青演算部、４Ｇ…緑演算部、４Ｒ…赤演算部、５…半導体基板、６…平坦化層、７…樹脂層、８…マイクロレンズ、１２…平坦化層、１３…感光性フェノール樹脂、１３ａ…レンズ母型、１６…膜、１８…撮像素子の有効画素部、１９…遮光膜、２０…電極部。
【図１】
2007049224.tif 000003
【図２】
2007049224.tif 000004
【図３】
2007049224.tif 000005
【図４】
2007049224.tif 000006
【図５】
2007049224.tif 000007
【図６】
2007049224.tif 000008
【図７】
2007049224.tif 000009
【図８】
2007049224.tif 000010
【図９】
2007049224.tif 000011
【図１０】
2007049224.tif 000012
【図１１】
2007049224.tif 000013
【図１２】
2007049224.tif 000014
【図１３】
2007049224.tif 000015
【図１４】
2007049224.tif 000016
【図１５】
2007049224.tif 000017
【図１６】
2007049224.tif 000018
【図１７】
2007049224.tif 000019